(57)【要約】【課題】洗濯物に付着したカレーなどの頑固なシミを効率的に落とすことができる洗濯機を提供することを目的とする。【解決手段】洗濯機は、本体１と、本体１内部に複数のサスペンション２で支持された受筒３と、受筒３内に配設された洗濯兼脱水槽４と、洗濯兼脱水槽４の内側面に配設された循環水路カバー５と、洗濯兼脱水槽４の中央内底部に配設されたパルセータ６と、洗い、すすぎ、脱水の各工程を制御するコントローラ１２と、を備える。循環水路カバー５の表面は凹凸状に形成される。コントローラ１２は、洗濯物のシミを落とすシミ落ちコースにおける洗い工程での洗濯水の水温を４０℃以上に調整し、かつ、前記シミ落ちコースにおける洗い工程での洗濯物攪拌時間を通常コースにおける洗い工程での洗濯物攪拌時間よりも長い時間設定する。【選択図】図２
2018126351.tif 000002
【特許請求の範囲】
【請求項１】
本体と、
前記本体内部に複数のサスペンションで支持された受筒と、
前記受筒内に回転自在に配設された洗濯兼脱水槽と、
前記洗濯兼脱水槽の内側面に配設された循環水路カバーと、
前記洗濯兼脱水槽の中央内底部に回転可能に配設されたパルセータと、
前記受筒の外底部に取り付けられ前記パルセータ及び前記洗濯兼脱水槽を回転させる伝達機構部と、
前記受筒の外底部に取り付けられたモータと、
前記伝達機構部と前記モータとを連動するベルトと、
前記モータ等を制御して、洗い、すすぎ、脱水の各工程を制御するコントローラと、を備え、
前記循環水路カバーの表面は凹凸状に形成され、
前記コントローラは、洗濯物のシミを落とすシミ落ちコースにおける洗い工程での洗濯物攪拌時間を通常コースにおける洗い工程での洗濯物攪拌時間よりも長い時間設定する洗濯機。
【請求項２】
前記コントローラは、前記シミ落ちコースにおける洗い工程での洗濯水の水温を４０℃以上に調整する請求項１に記載の洗濯機。
【請求項３】
前記コントローラは、前記シミ落ちコースにおける洗い工程での洗濯水の水温を４０℃以上かつ５０℃以下に調整する請求項１又は２に記載の洗濯機。
【請求項４】
前記コントローラは、前記シミ落ちコースが設定された場合の使用者に通知する洗濯物容量の上限値を、前記通常コースの洗濯物容量の上限値よりも小さくする請求項１〜３のいずれか１項に記載の洗濯機。
【請求項５】
前記水槽下部に、前記水槽及び前記洗濯兼脱水槽内の洗濯水を加熱する加熱手段を設けた請求項１〜４のいずれか１項に記載の洗濯機。
【請求項６】
前記水槽および前記洗濯兼脱水槽内に温水を供給するよう構成した請求項１〜４のいずれか１項に記載の洗濯機。
【発明の詳細な説明】
【技術分野】
【０００１】
本発明は、洗濯物についたカレーなどのシミを落とす洗濯機に関する。
【背景技術】
【０００２】
特許文献１は、洗濯物のシミを落とす洗濯機を開示する。この洗濯機は、本体と、本体内部に懸垂防振支持された受筒と、受筒内部に回転自在に配設された洗濯兼脱水槽と、洗濯兼脱水槽の中央内底部に配設されたパルセータと、を備える。洗濯機の上部には、洗濯兼脱水槽に給水を行う給水ホースと連結した給水弁が配設される。
【０００３】
洗濯物のシミ落としを行う場合は、受筒と洗濯兼脱水槽に水を溜め、所定時間経過後にパルセータを回転させ、洗濯兼脱水槽に収納された洗濯物を攪拌させて洗濯を行う。これにより、洗濯物に付着した皮脂汚れやシミを洗い落とすことができる。
【先行技術文献】
【特許文献】
【０００４】
【特許文献１】特開昭６１−８０９１号公報
【発明の概要】
【発明が解決しようとする課題】
【０００５】
しかしながら、前記従来の構成では、カレーのシミのような、油脂、たんぱく質、香辛料などが複合された頑固な汚れを十分に落とすことができないという課題を有していた。
【０００６】
本発明は、上記従来の課題を解決するもので、カレーのシミのような、洗濯物に付着した頑固な汚れを落とすことができる洗濯機を提供することを目的とする。
【課題を解決するための手段】
【０００７】
前記従来の課題を解決するために、本発明の洗濯機は、本体と、前記本体内部に複数のサスペンションで支持された受筒と、前記受筒内に回転自在に配設された洗濯兼脱水槽と、前記洗濯兼脱水槽の内側面に配設された循環水路カバーと、前記洗濯兼脱水槽の中央内底部に回転可能に配設されたパルセータと、前記受筒の外底部に取り付けられ前記パルセータ及び前記洗濯兼脱水槽を回転させる伝達機構部と、前記受筒の外底部に取り付けられたモータと、前記伝達機構部と前記モータとを連動するベルトと、前記モータ等を制御して、洗い、すすぎ、脱水の各工程を制御するコントローラと、を備え、前記循環水路カバーの表面は凹凸状に形成され、前記コントローラは、洗濯物のシミを落とすシミ落ちコースにおける洗い工程での洗濯水の水温を４０℃以上に調整し、かつ、前記シミ落ちコースにおける洗い工程での洗濯物攪拌時間を通常コースにおける洗い工程での洗濯物攪拌時間よりも長い時間設定することにより、洗濯物に付着したカレーなどのシミを効率的に落とすことができる。
【発明の効果】
【０００８】
本発明の洗濯機は、カレーのシミのような、洗濯物に付着した頑固な汚れを落とすことができる。
【図面の簡単な説明】
【０００９】
【図１】実施の形態１における洗濯機の縦断面図
【図２】実施の形態１における洗濯兼脱水槽と循環水路カバーの要部正面図
【図３】実施の形態１におけるシミ落ちコースの運転シーケンス図
【図４】カレーのシミに対する洗濯水温と洗浄度との関係グラフ
【発明を実施するための形態】
【００１０】
第１の発明は、本体と、前記本体内部に複数のサスペンションで支持された受筒と、前記受筒内に回転自在に配設された洗濯兼脱水槽と、前記洗濯兼脱水槽の内側面に配設された循環水路カバーと、前記洗濯兼脱水槽の中央内底部に回転可能に配設されたパルセータと、前記受筒の外底部に取り付けられ前記パルセータ及び前記洗濯兼脱水槽を回転させる伝達機構部と、前記受筒の外底部に取り付けられたモータと、前記伝達機構部と前記モータとを連動するベルトと、前記モータ等を制御して、洗い、すすぎ、脱水の各工程を制御するコントローラと、を備え、前記循環水路カバーの表面は凹凸状に形成され、前記コントローラは、洗濯物のシミを落とすシミ落ちコースにおける洗い工程での洗濯水の水温を４０℃以上に調整し、かつ、前記シミ落ちコースにおける洗い工程での洗濯物攪拌時間を通常コースにおける洗い工程での洗濯物攪拌時間よりも長い時間設定することにより、洗濯物に付着したカレーなどのシミを効率的に落とすことができる。
【００１１】
第２の発明は、特に、第１の発明の洗濯機の前記コントローラは、洗濯物のシミを落とすコースにおいて、洗濯兼脱水槽内の水温を４０℃以上かつ５０℃以内とすることにより、洗濯物の色落ちや傷みを抑制しつつ、洗濯物に付着したカレーなどのシミを効率的に落とすことができる。
【００１２】
第３の発明は、特に、第１または第２の発明の洗濯機の前記コントローラは、前記シミ落ちコースが設定された場合の使用者に通知する洗濯物容量の上限値を、前記通常コースの洗濯物容量の上限値よりも小さくすることにより、容量限界まで洗濯物を投入した状態でも、洗濯物のシミを取り除くことができる。
【００１３】
第４の発明は、特に、第１〜第３のいずれか１つの発明の洗濯機の前記水槽下部に、前記水槽及び前記洗濯兼脱水槽内の洗濯水を加熱する加熱手段を設けることにより、加熱手段により洗濯物を加熱することにより、洗濯物に付着したカレーなどのシミを効率的に落とすことができる。
【００１４】
第５の発明は、特に、第１〜第３のいずれか１つの発明の洗濯機の前記水槽および前記洗濯兼脱水槽内に温水を供給するよう構成することにより、洗濯物に付着したカレーなどのシミを効率的に落とすことができる。
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、添付図面および以下の説明は、当業者が本開示を十分理解するために、提供されるのであって、これらにより、特許請求の範囲に記載の主題を限定することは意図されていない。
【００１７】
（実施の形態１）
図１は、実施の形態１における洗濯機の縦断面図、図２は、実施の形態１における洗濯兼脱水槽と循環水路カバーの要部正面図である。
【００１８】
図１において、洗濯機の本体１の内部には、サスペンション２により、受筒３を懸垂防振支持する。洗濯兼脱水槽４は、内壁側面に循環水路カバー５が装着されている。図２に示すように、循環水路カバー５の表面には、凹凸面１３が形成されている。洗濯兼脱水槽
４の中央内底部には、パルセータ６が配設される。受筒３の外底部には、伝達機構部７が配設される。伝達機構部７は、減速ギア（図示せず）、洗濯・脱水の切り換えクラッチ（図示せず）、及び脱水時のブレーキ（図示せず）を内蔵する。モータ８は、受筒３の外底部に取り付けられ、ベルト９を介して伝達機構部７に動力を伝達する。本体１上部には、モータ８等を制御し、洗い、濯ぎ、乾燥等の一連の工程を逐次実行するコントローラ１２が配設される。
【００１９】
本体１上部には、給水弁１０が配設される。本体１は、給水弁１０と並列する位置に給湯弁１１が配設される。給水弁１０と給湯弁１１はそれぞれ、給水ホース（図示せず）を介して蛇口（図示せず）と連結する。コントローラ１２により、給水弁１０、給湯弁１１を開放することにより、洗濯兼脱水槽４に給水（例えば、水温２０℃）、給湯（例えば、水温５０℃）を行うことができる。
【００２０】
以上のように構成された洗濯機について、以下に動作、作用を説明する 。
【００２１】
図３は、実施の形態１におけるシミ落ちコースの運転シーケンス図である。
【００２２】
使用者は、洗濯兼脱水槽４に洗濯物と洗剤を投入して、スタートスイッチ（図示せず）を押下することにより洗濯を開始する。以下、使用者が洗濯物に付着したカレーなどのシミを落とすコース（以下、シミ落ちコース）を設定した場合の各運転工程を、図３を用いて説明する。
【００２３】
［洗い工程］
運転が開始されると、コントローラ１２は、給水弁１０を制御して、洗濯兼脱水槽４内に給水を行う。この際、給水弁１０と給湯弁１１を制御することで、給水量と給湯量を調整できるので、洗濯水の温度を給水温度同等から給湯温度同等まで所望の水温に調節できる。
【００２４】
また、図４は、カレーのシミに対する洗濯水温と洗浄度との関係グラフである。
【００２５】
洗浄度（Ｄ）は、カレーのシミを塗布した布について、洗浄前後の表面反射率を測定することにより求めている。
【００２６】
【数１】
2018126351.tif 000003
【００２７】
図４に示すように、水温が２０℃〜４０℃の間では、洗濯水温が高くなるに従って洗浄度（シミの落ち具合）が大きく向上するが、水温が４０℃以上の場合は、洗濯水温を上昇しても洗浄度はあまり向上しない。これは、水温４０℃までは、水温が上昇する程、カレ
ーに含まれる油脂成分（例えば、動物性油脂、菜種油、ひまわり油など）が洗濯物から分離し易くなるためである。
【００２８】
本実施の形態では、給水時の洗濯水の水温が略５０℃となるよう、給湯弁１１を開放し、５０℃の温水を洗濯兼脱水槽４及び受筒３に供給している。
【００２９】
なお、給水量と給湯量の比率を１：２の割合で給水して、洗濯水の水温が略４０℃になるよう調整してもよい。また、本実施の形態では、給湯弁１１を用いて温水を供給する構成を説明したが、本発明はこれに限られることはなく、例えば、水槽底部に窪みを設け、窪みにヒータを挿入して、ヒータによって水槽内の洗濯水を加熱させてもよい。
【００３０】
また、水温が上昇する程、洗濯物が色落ちたり、傷んだりするため、洗濯水の水温は、所定温度以内（例えば、４０℃以上かつ５０℃以内）に調整するよう制御することが好ましい。これにより、洗濯物の色落ちや傷みを抑制しつつ、カレーなどのシミを効率的に取り除くことができる。
【００３１】
洗濯水の給水が完了すると、パルセータ６を回転させて洗濯兼脱水槽４内に収納されている洗濯物を攪拌する攪拌運転を実施する。カレーに含まれるターメリックなどの色素は、機械的な洗浄方法で取り除くことができる。洗濯物を攪拌する時間が長い程、カレーに含まれる色素成分や油脂、タンパク質を取り除き、カレーのシミを落とすことが可能になる。本実施の形態では、シミ落ちコースにおける洗い工程の攪拌運転は、通常コースにおける洗い工程の攪拌時間（例えば、１０分）よりも長い時間（例えば、６０分）に設定している。これにより、洗濯物の傷みを抑制しつつ、カレーなどのシミを効率的に取り除くことができる。
【００３２】
また、図２に示すように、循環水路カバー５の表面は、凹凸面１３が形成しているため、洗濯物が攪拌して循環水路カバー５の凹凸面１３と擦れる際に、洗濯物に強い機械力が加わるため、洗濯物のシミを効果的に取り除くことができる。
【００３３】
［すすぎ工程（複数回実施）］
洗い工程の攪拌終了後、洗濯液を排水し、洗濯兼脱水槽４を高速回転させる脱水を行う。脱水により、洗濯兼脱水槽４にかかる遠心力を利用して、洗濯物を脱水できる。
【００３４】
その後、コントローラ１２により給水弁１０を制御して給水した後、洗い工程よりも低い洗剤濃度を有する水中で洗濯物を攪拌するすすぎ洗いを実施する。すすぎ工程では、予め設定した回数分、上記排水、脱水、すすぎ洗いを実施する。
【００３５】
［脱水工程］
すすぎ工程終了後、洗濯液を排水し、洗濯兼脱水槽４を高速回転させる脱水を行う。
【００３６】
上記工程を逐次実行した結果、洗濯運転は終了する。
【００３７】
なお、シミ落ちコースでの使用者に通知する洗濯物容量の上限値を、通常コースの洗濯物容量の上限値よりも小さく設定してもよい。一般に、洗濯物の量が多いほど、洗濯物がパルセータ６から受ける機械力が減少するため、洗濯物に付着した汚れが落ち難くなる。使用者に通知するシミ落ちコースの洗濯物容量の上限値（例えば、２．０ｋｇ）を、通常コースの洗濯物容量の上限値（例えば、７．５ｋｇ）よりも少なく設定することにより、容量限界まで洗濯物を投入した状態でも、洗濯物のシミを取り除くことができる。なお、操作表示パネル（図示せず）に表示する等して、使用者に洗濯物容量の上限値を表示すると良い。
【００３８】
なお、給水完了後に、モータ８を動作させず所定時間、洗濯物を温水に浸け置く工程を付加してもよい。洗濯物を温水に浸け置くことで、カレーに含まれる動物性油脂などの油脂成分を洗濯物から分離できる。
【００３９】
本実施の形態では、カレーのシミを取り除くことができると説明したが、当然、カレー以外のシミに対しても同様の効果を得ることができる。
【００４０】
なお、受筒３に水温を検知するサーミスタを取り付けることにより、受筒３内の洗濯水を所望の水温（例えば、４０℃）に調整するよう制御してもよい。上記構成により、洗濯物に付着したカレーのシミなどを効率的に落とすことができる。
【００４１】
本実施の形態では、縦型洗濯機を用いて説明したが、本発明はこれに限られず、ドラム式洗濯機や二槽式洗濯機であっても良い。
【産業上の利用可能性】
【００４２】
以上のように、本発明にかかる洗濯機は、洗濯物についたカレーのシミを効果的に落とすことが可能となるので、洗濯機等として有用である。
【符号の説明】
【００４３】
１  本体
２  サスペンション
３  受筒
４  洗濯兼脱水槽
５  循環水路カバー
６  パルセータ
７  伝達機構部
８  モータ
９  ベルト
１２  コントローラ
１３  凹凸面
【図１】
2018126351.tif 000004
【図２】
2018126351.tif 000005
【図３】
2018126351.tif 000006
【図４】
2018126351.tif 000007